(57)【要約】      （修正有）【課題】フォルダ本体と同素材の綴じ具により紙束を綴じることにより、破棄の際の分別作業を無くすとともに、荷重の大きい書類を保持する場合であっても、綴じ具が破損することのないファイルフォルダを提供する。【解決手段】紙束を支持するシート状のフォルダ本体３と、フォルダ本体と同素材からなり一体形成された綴じ具１０とを備え、綴じ具により紙束を綴じて保持するファイルフォルダ１であって、綴じ具は、フォルダ本体の縁部に設けられ、フォルダ本体の少なくとも一面において、綴じ具を含む領域には、靭皮繊維を原料として形成された和紙１１が貼られている。【選択図】図１
0003210061.tif 000002
【実用新案登録請求の範囲】
【請求項１】
紙束を支持するシート状のフォルダ本体と、前記フォルダ本体に一体形成された綴じ具とを備え、前記綴じ具により前記紙束を綴じて保持するファイルフォルダであって、
前記綴じ具は、前記フォルダ本体の縁部に設けられ、
前記フォルダ本体の少なくとも一面において、前記綴じ具を含む領域には、靭皮繊維を原料として形成された和紙が貼られていることを特徴とするファイルフォルダ。
【請求項２】
前記綴じ具は、断面Ｕ字状に折り曲げ可能な一対の足部を備え、
前記一対の足部は、少なくともその一面に前記和紙が貼られているとともに、前記紙束に形成された一対の貫通孔に通された状態で前記紙束が綴じられることを特徴とする請求項１に記載されたファイルフォルダ。
【請求項３】
前記綴じ具が形成された前記フォルダ本体の下端部には、前記綴じ具により綴じられる紙束側に折り曲げ可能なベロ部が設けられ、
前記折り曲げられたベロ部により、前記綴じ具に綴じられた書類が支持されることを特徴とする請求項１または請求項２に記載されたファイルフォルダ。
【請求項４】
前記フォルダ本体の上辺と側辺の縁部には、それぞれ前記綴じ具が形成されていることを特徴とする請求項１乃至請求項３のいずれかに記載されたファイルフォルダ。
【考案の詳細な説明】
【技術分野】
【０００１】
本考案は、複数の紙（紙束）を綴じて保持するファイルフォルダに関する。
【背景技術】
【０００２】
従来、紙束を綴じて保持するファイルフォルダは、例えば特許文献１に開示されるように、書類ファスナと呼ばれる金属製もしくは樹脂製の綴じ具を用いて、紙束を綴じるものである。
図７に特許文献１に開示されるファイルフォルダ４０及び書類ファスナ５０の斜視図を示す。また図８に、図７のファイルフォルダ４０に紙束６０を保持した状態の斜視図を示す。図７に示すように書類ファスナ５０は、長手方向に延びる胴部５１と、この胴部５１の両端から延びる一対の折り返し片５２、５３とを有する樹脂製の板素材からなり、樹脂シートをプレス工程等により切断して作られる。
【０００３】
前記板素材の胴部５１の長さは、ファイルフォルダ４０の綴じ穴４０ａの離間距離に対応している。また、一対の折り返し片５２、５３は、胴部５１の両端より折り曲がって、ファイルフォルダ４０の綴じ穴４０ａに差し込み可能な寸法に形成されている。
そして、図８に示すように書類ファスナ５０の折り返し片５２、５３を先にファイルフォルダ５０の綴じ穴５０ａに裏側から差し込んだ後、さらに紙束６０の綴じ穴６０ａに裏側から差し込み、図８に示すように表側に突出した折り返し片５２、５３を相寄る方向に折り曲げることによって、綴じ込むようになっている。
しかしながら、前記のようにファイルフォルダに用いる従来の書類ファスナは金属製か、或いは特許文献１に開示されるように樹脂製であるため、例えばファイルフォルダを破棄する際に、分別のために書類ファスナを取り外す必要があり、作業が煩雑になるという課題があった。
【０００４】
このような課題に対し、本願出願人は、フォルダ本体と同様に紙素材により形成された綴じ具を用いるファイルフォルダを発明し、特許文献２において開示した。
このファイルフォルダによれば、従来のような金属製や樹脂製の書類ファスナを用いなくても強固に紙束を綴じることができる。
また、綴じ具がフォルダ本体と同じ材質により一体形成されるため、破棄する際に、分別作業を省くことができる。
【先行技術文献】
【特許文献】
【０００５】
【特許文献１】特開２００７−２９０３５１号公報
【特許文献２】特開２０１５−２２６９９９号公報
【考案の概要】
【考案が解決しようとする課題】
【０００６】
特許文献２に開示したファイルフォルダのように、綴じ具とフォルダ本体とを同様な紙素材により形成すれば、破棄の際の分別作業を無くすことができる。
しかしながら、綴じる書類の量が増えた場合には、書類全体の荷重が増加し、ファイルフォルダを立てた状態にすると、その荷重が綴じ具に加わるため、紙により形成された綴じ具が破損しやすいという課題があった。
【０００７】
本考案は、前記した点に着目してなされたものであり、紙束を綴じて保持するファイルフォルダにおいて、フォルダ本体と同素材の綴じ具により紙束を綴じることにより、破棄の際の分別作業を無くすとともに、荷重の大きい書類を保持する場合であっても、綴じ具が破損することのないファイルフォルダを提供することを目的とする。
【課題を解決するための手段】
【０００８】
前記した課題を解決するために、本考案に係るファイルフォルダは、紙束を支持するシート状のフォルダ本体と、前記フォルダ本体に一体形成された綴じ具とを備え、前記綴じ具により前記紙束を綴じて保持するファイルフォルダであって、前記綴じ具は、前記フォルダ本体の縁部に設けられ、前記フォルダ本体の少なくとも一面において、前記綴じ具を含む領域には、靭皮繊維を原料として形成された和紙が貼られていることに特徴を有する。
尚、前記綴じ具は、断面Ｕ字状に折り曲げ可能な一対の足部を備え、前記一対の足部は、少なくともその一面に前記和紙が貼られているとともに、前記紙束に形成された一対の貫通孔に通された状態で前記紙束が綴じられることが望ましい。
また、前記綴じ具が形成された前記フォルダ本体の下端部には、前記綴じ具により綴じられる紙束側に折り曲げ可能なベロ部が設けられ、前記折り曲げられたベロ部により、前記綴じ具に綴じられた書類が支持されることが望ましい。
また、前記フォルダ本体の上辺と側辺の縁部には、それぞれ前記綴じ具が形成されていることが望ましい。
【０００９】
このように本発明に係る構成によれば、和紙が取り付けられた綴じ具により紙束を綴じるため、綴じ具の引張り方向の強度が格段に向上し、紙束の荷重が大きい場合であってもファスナ部の破損を防止することができる。
また、綴じ具が設けられたフォルダ本体の下端側に、ファイル内側に折り曲げ可能なベロ部が設けられているため、これにより紙束の荷重を受け止め、綴じ具に加わる荷重を大幅に軽減することができる。
また、前記綴じ具は、フォルダ本体の上辺側と側辺側とに設けられているため、使用者は、必要に応じていずれかの綴じ具を用いて紙束を綴じればよく、いずれの場合も、和紙による効果と、ベロ部による効果とを得ることができる。
【考案の効果】
【００１０】
本考案によれば、紙束を綴じて保持するファイルフォルダにおいて、フォルダ本体と同素材の綴じ具により紙束を綴じることにより、破棄の際の分別作業を無くすとともに、荷重の大きい書類を保持する場合であっても、綴じ具が破損することのないファイルフォルダを得ることができる。
【図面の簡単な説明】
【００１１】
【図１】図１は、本考案に係るファイルフォルダを綴じた状態の正面図である。
【図２】図２は、図１のファイルフォルダを開いた状態の斜視図である。
【図３】図３（ａ）、（ｂ）は、図１、図２のファイルフォルダに書類（紙束）を綴じた状態を示す斜視図である。
【図４】図４（ａ）〜（ｄ）は、図１のファイルフォルダが備えるファスナ部（綴じ具）を拡大して示す斜視図である。
【図５】図５（ａ）〜（ｅ）は、図４のファスナ部により紙束を綴じる動作を説明するための断面図である。
【図６】図６は、図４のファスナ部の変形例を示す斜視図である。
【図７】図７は、従来のファイルフォルダの構成を示す斜視図である。
【図８】図８は、図７のファイルフォルダに紙束を綴じた状態の斜視図である。
【考案を実施するための形態】
【００１２】
以下、本考案に係るファイルフォルダの実施の形態を図面に基づき説明する。図１は、本考案に係るファイルフォルダを閉じた状態の正面図であり、図２は、図１のファイルフォルダを開いた状態の斜視図である。また、図３（ａ）、（ｂ）は、図１、図２のファイルフォルダに書類（紙束）を綴じた状態を示す斜視図である。
【００１３】
ファイルフォルダ１は、例えば厚紙によりシート状に形成され、折り筋が設けられることによって、図２に示すように二つ折りの状態に折り曲げ可能となされている。また、二つ折りされるため、表表紙３（フォルダ本体）と裏表紙４（フォルダ本体）とが形成され、表表紙３の一辺には、一部が突起した見出し部分２が形成されている（図１は表表紙３を示す）。
【００１４】
このファイルフォルダ１において、表表紙３もしくは裏表紙４の上辺と側辺の縁部側には、それぞれ切り込みによりファスナ部１０（綴じ具）が形成されている（本実施の形態では表表紙３の上辺及び側辺の縁部側）。図３（ａ）は、表表紙３の側辺に設けられたファスナ部１０によって紙束である書類２０が綴じられた例を示し、図３（ｂ）は、表表紙３の上辺縁部に設けられたファスナ部１０によって書類２０が綴じられた例を示している。このように用途、好みに応じて書類２０を綴じる位置を選ぶことができるようになっている。
【００１５】
また、本実施の形態において、ファスナ部１０が設けられた表紙（本実施形態では表表示３）の片側面（本実施形態では外側面）における、２つのファスナ部１０の上には、それぞれ和紙シール部材１１（説明のために絵柄含めてクロスハッチングで示す）が貼られている。この和紙シール部材１１は、靭皮繊維としての例えば楮（こうぞ）の樹皮繊維を原料として形成された和紙の一面に、接着剤を設けたものである。
楮の樹皮繊維は、繊維が長く、強靱であるため、破れにくいという特徴を有する。そのため、この和紙シール部材１１は、ファスナ部１０の強度を向上するために設けられている。
表表紙３の外側面に絵柄が施された和紙シール部材１１を貼った場合、図３（ａ）、（ｂ）に示すように、ファスナ部１０で書類２０を綴じると、和紙の絵柄がファスナ部１０の表側になるため、装飾性を向上することができる。
尚、和紙シール部材１１の一面に形成される接着剤としては、ファイル廃棄時に環境に優しい澱粉糊を用いることが好ましい。
また、和紙の原料としては、靱皮繊維であれば、特に限定されるものではなく、前記した楮の樹皮繊維の他、三椏（みつまた）、雁皮（がんぴ）などの樹皮繊維を用いてもよい。
【００１６】
さらに、ファスナ部１０が設けられる表紙（本実施形態では表表紙３）の下端部には、内側に折り曲げ可能なベロ部１３が設けられている。このベロ部１３には、表紙下辺に沿って平行に複数（図では２箇所）の折り筋が設けられており、綴じる書類２０の厚さによって折り曲げ位置を変えることができる。このように内側に折り曲げ可能なベロ部１２を設けることにより、ベロ部１３が書類２０の荷重を受けて、ファスナ部１０にかかる荷重の負荷を軽減するように構成されている。
【００１７】
図４（ａ）に拡大して示すように、ファスナ部１０は、使用前の状態においては、表表紙３に和紙シール部材１１が貼られた後、切り込みにより形成される（図４（ａ）において和紙シール部１１は表紙側に貼られているため図示されない）。ファスナ部１０は、その長手方向に３つの部位に分けられる。
具体的には、ファスナ部１０は、一端側に設けられたオス足部１０ａと、他端側に設けられたメス足部１０ｂと、それらの間に設けられた肩部１０ｃとからなる。前記オス足部１０ａは、図示するように先端に細先部１０ａ１を有し、メス足部１０ｂと肩部１０ｃには、その略中央の位置に例えば円形の小孔１０ｂ１（第１の小孔）と、小孔１０ｃ１（第２の小孔）とがそれぞれ設けられている。
【００１８】
また、ファスナ部１０は、使用される際には、図４（ｂ）に示すように、オス足部１０ａとメス足部１０ｂとが肩部１０ｃに対して略直角となるように断面Ｕ字状に折り曲げられ、それらが綴じるべき書類（紙束）に形成された一対の細長孔（貫通孔）に挿入されて用いられる。
詳しく説明すると、図４（ｃ）に示すように、書類２０には、ファスナ部１０のオス足部１０ａが挿入可能な細長孔２０ａと、メス足部２０ｂが挿入可能な細長孔２０ｂと、それら細長孔２０ａ，２０ｂの間に位置し、ファスナ部１０の細先部１０ａ１が挿入可能な小孔２０ｃ（第３の小孔）とが形成されている。
尚、これら長孔２０ａ、２０ｂ、小孔２０ｃは、予め専用の穿孔具（図示せず）等を用いて書類２０に形成しておく必要がある。
【００１９】
そして、図４（ｃ）に示すように書類２０の下面側から、前記細長孔２０ａ、２０ｂに、それぞれファスナ部１０のオス足部１０ａとメス足部１０ｂとが挿入され、書類２０の上面側において上方に突出した状態となされる。また、このとき、書類２０の小孔２０ｃの位置とファスナ部１０の小孔１０ｃ１の位置が合った状態となる。
さらに、図４（ｄ）に示すように、先にメス足部１０ｂを内側に折り曲げ、小孔１０ｂ１と小孔２０ｃとの位置を合わせた状態で、その上からオス足部１０ａを内側に折り曲げ、細先部１０ａ１を縦に重なる３つの小孔１０ｂ１、２０ｃ、１０ｃ１に入れ込むことにより書類２０が綴じられる。
書類２０が綴じられた状態において、図４（ｄ）に示すようにファスナ部１０のオス足部１０ａとメス足部１０ｂの上面には、和紙シール部材１１が貼られた状態であるため、使用者は和紙の模様（絵柄）を愉しむことができる。
【００２０】
続いて、前記ファスナ部１０により書類２０を綴じる一連の作業について、図５を用いて、より具体的に説明する。図５（ａ）〜（ｅ）は、ファイルフォルダ１のファスナ部１０により書類２０を綴じる工程を順に示す断面図である。
図５（ａ）に示すように書類２０には、予め専用の穿孔具（図示せず）等を用いて長孔２０ａ、２０ｂ、小孔２０ｃを形成しておく。
また、ファイルフォルダ１において、切り込みにより形成されたファスナ部１０のオス足部１０ａとメス足部１０ｂとを折り曲げて書類２０側に立ち上げる。
【００２１】
次いで、図５（ｂ）に示すように、前記ファスナ部１０のオス足部１０ａとメス足部１０ｂとを書類２０の長孔２０ａと長孔２０ｂとにそれぞれ挿入し、ファイルフォルダ１の裏表紙４上に書類２０を重ねる。
また、図５（ｃ）に示すように、書類２０の表側において、長孔２０ｂから突出したファスナ部１０のメス足部１０ｂを先に折り曲げ、その上からオス足部１０ａを折り重ねる。このとき、ファスナ部１０の小孔１０ｃ１と書類２０の小孔２０ｃとメス足部１０ｂ（ファスナ部１０）の小孔１０ｂ１とが縦に重なった状態となされる。
【００２２】
ここで、前記小孔１０ｃ１、２０ｃ、１０ｂ１は同じ径に形成されているが、図５（ｄ）に示すように、前記小孔の径よりも小さい径の押し棒３１を有する押し具３０等を用い、前記小孔の上に重ねられたオス足部１０ａの細先部１０ａ１を、前記小孔１０ｂ１、２０ｃ、１０ｃ１の順に押し込む。
これにより図５（ｅ）に示すように、ファスナ部１０によって書類２０が強固に綴じられた状態となる。
ここで、ファスナ部１０には、前記したように和紙シール部材１１が貼られているため、引張り方向の強度が向上しており、書類２０が厚く荷重が大きいものであっても、ファスナ部１０の破損を防止することができる。
【００２３】
さらには、表表紙３の下端側に設けられたベロ部１３をファイル内側に折り曲げ、綴じた書類２０を下側から支えることができる。
それにより、書類２０の荷重がベロ部１３によって受け止められ、ファスナ部１０にかかる荷重を大幅に軽減することができる。
【００２４】
このように本考案に係る実施の形態によれば、ファイル本体（表表紙３、裏表紙４）と同じ材質で形成されたファスナ部１０を用いて書類２０を綴じるため、例えば破棄する際に、分別作業を省くことができる。
また、和紙シール部材１１が取り付けられたファスナ部１０により書類２０を綴じているため、ファスナ部１０の引張り方向の強度が格段に向上し、書類２０の荷重が大きい場合であってもファスナ部１０の破損を防止することができる。
【００２５】
また、ファスナ部１０が設けられた表表紙３の下端側に、ファイル内側に折り曲げ可能なベロ部１３が設けられているため、これにより書類２０の荷重を受け止め、ファスナ部１０に加わる荷重を大幅に軽減することができる。
また、前記ファスナ部１０は、表表紙３の上辺と側辺とに設けられているため、使用者は、必要に応じていずれかのファスナ部１０を用いて書類２０を綴じればよく、いずれの場合も、和紙シール部材１１による効果と、ベロ部１３による効果とを得ることができる。
【００２６】
尚、書類枚数が増えても対応できるように、ファスナ部１０のメス足部１０ｂに設ける小孔１０ｂ１の形状、及び肩部１０ｃに設ける小孔１０ｃ１の形状は、図６に示すようにファスナ部１０の長手方向に沿って延びる長円形に形成しておくことが望ましい。それにより、ファスナ部１０の足部を折り畳んだ際に小孔１０ｂ１と小孔２０ｃと小孔１０ｃ１とが厚さ方向に連通する状態とすることができる。
また、オス足部１０ａに設ける細先部１０ａ１の長さは、少なくとも書類の厚さ分の長さを有するように予め長めに形成しておけばよく、特にこの場合、図６に示すように細先部１０ａ１に鈎部１０ａ２を設け、小孔１０ｃ１に鈎部１０ａ２が係止する構成とすることが望ましい。
【００２７】
また、前記実施の形態においては、ファスナ部１０（綴じ具）が形成された表表紙３（フォルダ本体）の片側面のみに和紙シール部材１１を貼るものとしたが、本発明にあっては、その形態に限定されるものではない。即ち、綴じ具が形成されたフォルダ本体の両面に和紙シール部材を貼った構成としてもよい。
【００２８】
また、前記実施の形態においては、ファイルフォルダ１は全て厚紙により形成されているものとしたが、材質は紙に限定されるものではなく、例えば、プラスチック樹脂により形成してもよい。
また、前記実施の形態においては、ファスナ部１０をファイルフォルダ１の折り筋が形成されている表表紙３の一辺側に設けたが、その構成に限定されるものではなく、その他の一辺の縁部側に設けてもよい。或いは複数の辺の縁部側にそれぞれ設けて、使用者が使うファスナ部１０を選ぶようにしてもよい。
【００２９】
また、前記実施の形態においては、フォルダ本体として、表表紙３と裏表紙４の二つ折りの構成を示したが、それに限らず、フォルダ本体を１枚の構成とし、その上に書類２０（紙束）を載せて支持するようにしてもよい。
【符号の説明】
【００３０】
１          ファイルフォルダ
２          見出し部
３          表表紙（フォルダ本体）
４          裏表紙（フォルダ本体）
１０          ファスナ部（綴じ具）
１０ａ        オス足部
１０ａ１      細先部
１０ｂ        メス足部
１０ｂ１      小孔（第１の小孔）
１０ｃ        肩部
１０ｃ１      小孔（第２の小孔）
１１          和紙シール部材（和紙）
２０          書類（紙束）
２０ａ        長孔
２０ｂ        長孔
２０ｃ        小孔
【図１】
0003210061.tif 000003
【図２】
0003210061.tif 000004
【図３】
0003210061.tif 000005
【図４】
0003210061.tif 000006
【図５】
0003210061.tif 000007
【図６】
0003210061.tif 000008
【図７】
0003210061.tif 000009
【図８】
0003210061.tif 000010